【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
被検者に対してインピーダンス測定を実施する際に使用される装置であって、前記装置は、
ａ）三つの周波数の各々において、前記被検者の少なくとも一つの身体部位のインピーダンスに関する第一および第二のインピーダンスパラメータに対して、第一および第二のパラメータ値を決定し、
ｂ）前記第一および第二のインピーダンスパラメータに関して定義される円を示す連立方程式を、前記三つの周波数の各々において前記第一および第二のパラメータ値を用いて解いて、円パラメータ値を決定し、
ｃ）前記円パラメータ値を用いて、それぞれの周波数において、第三のインピーダンスパラメータ値を決定し、かつ
ｄ）前記第三のインピーダンスパラメータ値を用いて、前記被検者の身体部位内の相対的な体液レベルを示す指標を決定する
処理システムを含む装置。
【請求項２】
前記指標は細胞外液レベルを示す請求項１に記載の装置。
【請求項３】
前記指標は浮腫の有無または程度を示す請求項１又は２に記載の装置。
【請求項４】
前記第三のインピーダンスパラメータは、ゼロ周波数におけるインピーダンスを示す請求項１乃至３のいずれか一項に記載の装置。
【請求項５】
前記処理システムは、
ａ）第一および第二の身体部位の各々に対して、それぞれの周波数において、第三のインピーダンスパラメータ値を決定し、
ｂ）前記第三のインピーダンスパラメータ値を用いて比を決定し、かつ
ｃ）前記比を用いて前記指標を決定する
請求項１乃至４のいずれか一項に記載の装置。
【請求項６】
前記第一および第二の身体部位は、対側肢の部分である請求項５に記載の装置。
【請求項７】
前記処理システムは、
ａ）前記比を基準値と比較し、かつ
ｂ）前記比較の結果を用いて前記指標を決定する
請求項５又は６に記載の装置。
【請求項８】
前記基準値は、
ａ）所定の閾値、
ｂ）正規母集団から決定される許容範囲、および
ｃ）所定の範囲
の少なくとも一つを含む請求項７に記載の装置。
【請求項９】
前記基準値は、前記被検者に対して事前に決定される指標を含む請求項７に記載の装置。
【請求項１０】
前記事前に決定される指標は、
ａ）外科手術、および
ｂ）治療
の少なくとも一つを前記被検者が受ける前に決定される請求項９に記載の装置。
【請求項１１】
前記処理システムは、
ａ）前記円パラメータ値を用いて、それぞれの周波数において第四のインピーダンスパラメータ値を決定し、
ｂ）前記第三および第四のインピーダンスパラメータ値を用いて、細胞内液に対する細胞外液の比を示す指標値を決定し、かつ
ｃ）前記指標値を用いて前記指標を決定する
請求項１乃至１０のいずれか一項に記載の装置。
【請求項１２】
前記処理システムは、
ａ）第一および第二の身体部位に対する指標値を決定し、かつ
ｂ）前記第一および第二の身体部位に対する前記指標値に基づいて指標値比を決定する請求項１１に記載の装置。
【請求項１３】
前記第一および第二の身体部位は、異なる種類の身体部位である請求項１２に記載の装置。
【請求項１４】
前記第一および第二の身体部位は四肢である請求項１３に記載の装置。
【請求項１５】
前記第一の身体部位は脚であり、前記第二の身体部位は腕である請求項１３に記載の装置。
【請求項１６】
前記処理システムは、
ａ）前記インピーダンスパラメータ値からパラメータＲ０およびＲ∞の値を決定し、かつ
ｂ）次式
【数１】
2012508045.tif 000001
を用いて指標値（Ｉ）を計算し、Ｒ０はゼロ周波数における抵抗であり、Ｒ∞は無限周波数における抵抗である請求項１１乃至１５のいずれか一項に記載の装置。
【請求項１７】
前記処理システムは、
ａ）前記第三のインピーダンスパラメータ値、
ｂ）前記第一および第二のインピーダンスパラメータ値、
ｃ）前記円パラメータ、
ｄ）細胞内液に対する細胞外液の比、および
ｅ）被検者内の組織浮腫の有無または程度の少なくとも一つの兆候
の少なくとも一つの兆候を表示する請求項１乃至１６のいずれか一項に記載の装置。
【請求項１８】
前記装置は、
ａ）複数の周波数の各々において、交流信号を発生する信号発生器と、
ｂ）前記発生した交流信号を被検者に印加する少なくとも二つの供給電極と、
ｃ）前記被検者の信号を検出する少なくとも二つの測定電極と、
ｄ）前記被検者の信号を決定する前記測定電極に接続されるセンサであって、前記処理システムに接続され、それによって、前記処理システムが、測定インピーダンスを判定することを可能とするセンサとを含む請求項１乃至１７のいずれか一項に記載の装置。
【請求項１９】
前記装置は複数の電極システムを含み、各電極システムは、
ａ）センサと、
ｂ）信号発生器とを備える請求項１乃至１８のいずれか一項に記載の装置。
【請求項２０】
前記電極システムは、
ａ）前記信号発生器およびセンサが実装された第一の基板と、
ｂ）少なくとも二つの導電性パッドが実装された第二の基板であって、前記導電性パッドは使用時に前記信号発生器および前記センサを被検者に接続する第一および第二の電極を形成する前記第二の基板とを備える請求項１９に記載の装置。
【請求項２１】
前記電極システムは、第一の電極と第二の電極との間の容量結合を相殺するための容量相殺回路を備える請求項１９又は２０に記載の装置。
【請求項２２】
前記容量相殺回路は、信号発生器出力部をセンサ入力部に接続する反転増幅器を備える請求項２１に記載の装置。
【請求項２３】
前記反転増幅器は、容量相殺信号を前記センサ入力部に印加し、それによって、前記第一の電極と前記第二の電極との間の任意の実効容量を相殺する請求項２２に記載の装置。
【請求項２４】
反転増幅器出力部は、
ａ）抵抗器、
ｂ）コンデンサ、および
ｃ）インダクタ
の少なくとも一つを介して、前記センサ入力部に接続される請求項２２又は２３に記載の装置。
【請求項２５】
抵抗器およびコンデンサの少なくとも一方は調節可能であり、それによって、前記センサ入力部に印加される容量相殺信号を制御する請求項２４に記載の装置。
【請求項２６】
前記電極システムは、センサ入力部における実効入力容量を相殺するための入力容量相殺回路を備える請求項１９乃至２５のいずれか一項に記載の装置。
【請求項２７】
前記電極システムは、センサ出力部をセンサ入力部に接続するフィードバックループを備える請求項１９乃至２６のいずれか一項に記載の装置。
【請求項２８】
前記フィードバックループは、
ａ）抵抗器、
ｂ）コンデンサ、および
ｃ）インダクタ
の少なくとも一つを備える請求項２７に記載の装置。
【請求項２９】
抵抗器およびコンデンサの少なくとも一方は調節可能であり、それによって、前記センサ出力部から前記センサ入力部への電流フローを制御する請求項２８に記載の装置。
【請求項３０】
前記フィードバックループは、入力容量相殺信号を前記センサ入力部に印加して、前記センサ入力部における任意の実効容量を相殺する請求項２８又は２９に記載の装置。
【請求項３１】
前記処理システムは、ソフトウェアを格納するメモリと、前記メモリに格納された前記ソフトウェアの制御下で動作するプロセッサとを備え、前記プロセッサは、
ａ）三つの周波数の各々において、前記被検者の少なくとも一つの身体部位のインピーダンスに関する第一および第二のインピーダンスパラメータに対して第一および第二のパラメータ値を決定し、
ｂ）前記第一および第二のインピーダンスパラメータに関して定義される円を示す連立方程式を、前記三つの周波数の各々において前記第一および第二のパラメータ値を用いて解いて、円パラメータ値を決定し、
ｃ）前記円パラメータ値を用いて、それぞれの周波数において第三のインピーダンスパラメータ値を決定し、かつ
ｄ）前記第三のインピーダンスパラメータ値を用いて、前記被検者の身体部位内の相対体液レベルを示す指標を決定する
請求項１乃至３０のいずれか一項に記載の装置。
【請求項３２】
浮腫の有無または程度を診断する際に使用される装置であって、
ａ）三つの周波数の各々において、被検者の少なくとも一つの身体部位のインピーダンスに関する第一および第二のインピーダンスパラメータに対して、第一および第二のパラメータ値を決定し、
ｂ）前記第一および第二のインピーダンスパラメータに関して定義される円を示す連立方程式を、前記三つの周波数の各々において前記第一および第二のパラメータ値を用いて解いて、円パラメータ値を決定し、
ｃ）前記円パラメータ値を用いて、それぞれの周波数において第三のインピーダンスパラメータ値を決定し、
ｄ）前記第三のインピーダンスパラメータ値を用いて、前記被検者の身体部位内の相対的な体液レベルを示す指標を決定し、かつ
ｅ）前記指標を用いて、浮腫の有無または程度を決定する
処理システムを備える装置。
【請求項３３】
身体組成分析において使用される装置であって、
ａ）三つの周波数の各々において、被検者の少なくとも一つの身体部位のインピーダンスに関する第一および第二のインピーダンスパラメータに対して、第一および第二のパラメータ値を決定し、
ｂ）前記第一および第二のインピーダンスパラメータに関して定義される円を示す連立方程式を、前記三つの周波数の各々において前記第一および第二のパラメータ値を用いて解いて、円パラメータ値を決定し、
ｃ）前記円パラメータ値を用いて、それぞれの周波数において第三のインピーダンスパラメータ値を決定し、かつ
ｄ）前記第三のインピーダンスパラメータ値を用いて、個人の身体組成を決定する
処理システムを備える装置。
【手続補正２】
【補正対象書類名】明細書
【補正対象項目名】発明の名称
【補正方法】変更
【補正の内容】
【発明の名称】インピーダンス測定を実施する際に使用される装置、浮腫の有無または程度を診断する際に使用される装置、及び身体組成分析において使用される装置
【手続補正３】
【補正対象書類名】明細書
【補正対象項目名】０００１
【補正方法】変更
【補正の内容】
【０００１】
本発明は、実施されたインピーダンス測定の結果を分析する装置に関し、特に、被検者の部位内の体液レベルを決定する装置に関する。